(57)【要約】【課題】ボルト・ナットの締緩時、嵌合部が滑って空回りするのを防ぐことができ、尚且つ、嵌合部の破損を防ぐことができるレンチ嵌合部の改良構造を提供する。【解決手段】レンチ嵌合部２２の円弧凸面２４を大きな円弧形を呈する形状とし、円弧凸面２４をボルト・ナット外側面に嵌合させる時に傷つくのと、締緩時、嵌合部が滑って空回りするのを防ぐ。収納隙間２３の底角を小さな円弧形を呈する設計にすることにより、ボルト・ナットの締緩時に発生する応力を分散し、嵌合部２２の破損を防ぐ。【選択図】図１
2005074541.tif 000002
【特許請求の範囲】
【請求項１】
主にレンチ本体を含み、
該レンチ本体には、手で握るための柄部が設けられており、該柄部の少なくとも一端にはボルト・ナットを締緩する際に嵌合する嵌合部が設けられており、該嵌合部内縁にはボルト・ナット外側面と接触する複数の大きな円弧形を呈する円弧凸面とボルト・ナットの角を収納するための複数の収納隙間が設けられており、該嵌合部隙間の底角は小さな円弧形を呈しており、
該大きな円弧形を呈する円弧凸面の深さＴと収納隙間の底角ともう一つの収納隙間の底角間の長さＬの比率は１：１．６であることを特徴とするレンチ嵌合部の改良構造。
【請求項２】
主にソケットを含み、
該ソケットの一端にはレンチの嵌合部と嵌入させるための嵌入部が設けられており、該嵌入部の内縁には差し込み口が設けられており、外縁には複数の円弧凸面と収納隙間が設けられており、収納隙間の底角は小さな円弧形を呈しており、嵌入部のもう一端にはボルト・ナットを締緩する際に嵌合する嵌合部が設けられており、嵌合部の内縁には同様に円弧凸面と収納隙間が形成されており、収納隙間の底角は小さな円弧形を呈しており、
該ソケットの嵌入部と嵌合部の円弧凸面の深さＴと収納隙間の底角ともう一つの収納隙間の底角間の長さＬの比率は１：１．６であることを特徴とするレンチ嵌合部の改良構造。
【請求項３】
複数の円弧凸面と収納隙間が設けられているソケットの一端の嵌合部は六角形を呈する形状の締緩部であることが可能なことを特徴とする請求項２に記載のレンチ嵌合部の改良構造。
【請求項４】
主にソケットを含み、
該ソケットの一端には差し込み口が設けられており、もう一端にはボルト・ナットを締緩する際に嵌合する嵌合部が設けられており、嵌合部の内縁には複数の円弧凸面と収納隙間が設けられており、収納隙間の底角は小さな円弧形を呈しており、
ソケットの嵌入部と嵌合部の円弧凸面の深さＴと収納隙間の底角ともう一つの収納隙間の底角間の長さＬの比率は１：１．６であることを特徴とするレンチ嵌合部の改良構造。
【発明の詳細な説明】
【技術分野】
【０００１】
本発明はレンチ嵌合部の構造改良に係り、特に嵌合部を更に実用的にするために、嵌合部の円弧凸面の設計を大きな円弧状にすることでボルト・ナットとの接触面積を増加させ、嵌合部が滑って空回りするのを防ぎ、同時に収納隙間の底角の設計を小さな円弧状にすることで嵌合部の応力を分散させる効果を持つレンチ嵌合部の構造改良に関わる。
【背景技術】
【０００２】
現在手工具の発展は非常に成熟しており、発展の余地には限りがある産業であり、公知の手工具においては構造、材質の改善がなされ、使用時の快適性や実用性に富むものが多い。
レンチ類においては、使用される範囲が最も広く、レンチの嵌合部の設計の良し悪しは、ボルト・ナットの締緩のし易さや、嵌合部の空回りの発生に多大に影響する。
図９に示すように、公知構造の嵌合部の構造は、複数の円弧凸面と収納隙間によって構成されており、一般的にいうと、嵌合部の収納隙間にボルト・ナットの角部を収納し、ボルト・ナットの締緩時、嵌合部が滑って空回りするのを防ぎ、円弧凸面の作用は、ボルト・ナットの側面と接触させ、ボルト・ナットを嵌合することにある。
しかしながら、この種の公知構造のレンチの欠点は、底角が直角を呈しているために、応力の集中をもたらしてしまい、実用性を持たず、更にこの種の直角を呈する構造は、製造上困難であり、フライス切削法であれ、鋳造であれ、成形は容易ではない。
また、この種の公知構造のレンチの円弧凸面の深さＴと２つの収納隙間の底角間の長さＬの比率は１：２である。つまり、この種の公知構造のレンチの円弧凸面の深さは、２つの収納隙間の底角間の長さの二分の一しかなく、深さが比較的浅い円弧凸面とボルト・ナットの側面との接触面積は相対して小さくなり、それによりボルト・ナットの締緩時、嵌合部が滑って空回りしやすい欠点がある。
【発明の開示】
【発明が解決しようとする課題】
【０００３】
前記公知構造の欠点を解決するため、本発明は、ボルト・ナットの締緩時、嵌合部が滑って空回りするのを防ぐことができ、尚且つ、ボルト・ナットの締緩時に発生する応力を分散し、嵌合部の破損を防ぐことができるレンチ嵌合部の構造改良を提供することを課題とする。
【課題を解決するための手段】
【０００４】
前記課題を解決するために、本発明は主に一種のレンチ嵌合部の構造改良に関わり、主にレンチ本体と回動体により構成されており、該レンチ本体は柄部が設けられており、該柄部の少なくとも一端にはヘッド部が設けられており、該ヘッド部の底縁にはＯリングを係止するための係止縁部が設けられており、ヘッド部の中間には収納空間が形成されており、該収納空間に回動体が収納でき、ヘッド部と柄部の間には孔部が設けられており、該孔部はヘッド部の収納空間に貫通しており、該孔部には回動体と噛合するストッパー構造が設けられている。該回動体は外縁にはストッパー構造と噛合するラチェット歯が形成されており、内縁にはボルト・ナットを嵌合するための嵌合部が設けられており、該嵌合部は複数の円弧形を呈する収納隙間と複数の円弧凸面により構成されている。
【発明の効果】
【０００５】
本発明の主要な特徴は、嵌合部の円弧凸面を大きな円弧形を呈する設計にすることにより、円弧凸面をボルト・ナットに嵌合させる時、ボルト・ナットを傷つけるのを防ぐ効果持つことと、嵌合部の円弧凸面を大きな円弧形を呈する設計にすることにより、嵌合部をボルト・ナットの側面としっかり嵌合させることができ、ボルト・ナットの締緩時、嵌合部が滑って空回りするのを防ぐ効果があることにあり、又、収納隙間の底角を小さな円弧形を呈する設計にすることにより、ボルト・ナットの締緩時に発生する応力を分散し、嵌合部の破損を防ぐ効果を持つ。
【発明を実施するための最良の形態】
【０００６】
本発明は主に一種のレンチ嵌合部の構造改良に関わり、主にレンチ本体と回動体により構成されており、該レンチ本体は柄部が設けられており、該柄部の少なくとも一端にはヘッド部が設けられており、該ヘッド部の底縁にはＯリングを係止するための係止縁部が設けられており、ヘッド部の中間には収納空間が形成されており、該収納空間に回動体が収納でき、ヘッド部と柄部の間には孔部が設けられており、該孔部はヘッド部の収納空間に貫通しており、該孔部には回動体と噛合するストッパー構造が設けられている。該回動体には外縁にストッパー構造と噛合するラチェット歯が形成されており、内縁にはボルト・ナットを嵌合するための嵌合部が設けられており、該嵌合部は複数の円弧形を呈する収納隙間と複数の円弧凸面により構成されていることを特徴とするレンチ嵌合部の構造改良であり、本発明の最も好適な実施例を、ラチェットレンチを例にして説明するが、実際は使用者の必要により、違う形態の手工具にも応用可能である。
【実施例１】
【０００７】
図１，２，３に示すように、主にレンチ本体１０と回動体２０により構成されており、該レンチ本体１０には柄部１２が設けられており、該柄部１２の少なくとも一端にはヘッド部１４が設けられており、該ヘッド部１４の底縁にはＯリング１７を係止するための係止部１５が設けられており、ヘッド部１４の中間には収納空間１６が形成されており、該収納空間１６に回動体２０が収納でき、ヘッド部１４と柄部１２の間には孔部１８が設けられており、該孔部１８はヘッド部１４の収納空間１６に貫通しており、該孔部１８にはストッパー３１とスプリング３２と固定ねじ３３により構成されるストッパー構造３０が設けられている。
【０００８】
上記回動体２０は外縁にストッパー構造３０と噛合するラチェット歯２１が形成されており、内縁にはボルト・ナット４０を嵌合するための嵌合部２２が設けられており、該嵌合部２２は複数の円弧形を呈する収納隙間２３と複数の円弧凸面２４により構成されている。
【０００９】
本発明の主要な特徴は、該回動体２０内縁の嵌合部２２の改良にあり、図４に示すように、本考案の収納隙間２３の底角２５を小さな円弧形を呈する設計にすることにより、嵌合部のフライス切削法、或いは鋳造による成形を容易にし、同時に底角２５を小さな円弧形を呈する設計にすることにより、ボルト・ナット４０の締緩時に嵌合部２２に発生する応力を分散し、嵌合部２２の破損を防ぐ効果を持つ。
【００１０】
本発明の円弧凸面２４は大きな円弧形を呈しており、一般に知られる円弧凸面２４の主要な効果は、嵌合部２２によりボルト・ナット４０を締緩する時、該円弧凸面２４をボルト・ナット４０の側面４１に接触させ、嵌合部が滑って空回りするのを防ぐことにある。本考案では、円弧凸面２４を大きな円弧形を呈する設計にすることにより、嵌合部２２をボルト・ナット４０の側面４１としっかり嵌合させることができ、嵌合部が滑って空回りするのを防ぐことができる。
【００１１】
ボルト・ナット４０の側面４１は極めて弱く、しかしながら、締緩時に最も強い力を受ける場所はボルト・ナット側面４１である。本考案では、締緩時にボルト・ナット４０の側面４１が破損するのを防ぐために、特別にボルト・ナット４０の側面４１と接触する円弧凸面２４を大きな円弧形を呈する設計にし、ボルト・ナット４０の側面４１が破損するのを防ぐことができる構造になっている。
【００１２】
本発明の円弧凸面２４により、嵌合部が滑って空回りするのを防ぐことができ、大きな円弧形を呈する設計の円弧凸面２４の深さＴと収納隙間２３の２つの底角２５間の長さＬの比率は１：１．６であり、円弧凸面２４の深さＴを深くすることにより、円弧凸面２４とボルト・ナット４０の側面４１の接触面積を増加させ、更に効果的に、嵌合部が滑って空回りするのを防ぐことができる。
【実施例２】
【００１３】
図５に示すように、本発明の嵌合部２２の改良構造の第二実施例として、嵌合部２２の設計は、ソケット５０上に利用することが可能で、該ソケット５０の上端には嵌入部５１が設けられており、下端内縁には上述のレンチ本体１０の嵌合部２２と同じ設計の嵌合部５２が設けられている。
【００１４】
ソケット５０の嵌入部５１には差し込み口５３が設けられており、外縁には上述の最も好適な実施例における回動体２０の嵌合部２２の設計に相対する収納隙間５４と円弧凸面５５が形成されており、該ソケット５０は上述のレンチ本体１０の嵌合部２２に嵌合し、ソケット下端の嵌合部５２をボルト・ナットに嵌合することにより、上述の最も好適な実施例と同様の効果を達成できる。
【００１５】
図７に示すように、ソケット５０の上端外縁には収納隙間５４と円弧凸面５５により構成される嵌入部５１が設けられており、内縁には同様に差込み口５３が設けられており、下端内縁には六角形を呈する締緩部が設けられている。
【００１６】
図８に示すように、ソケット５０の一端には一般的なソケットレンチ（図なし）を嵌合するための差し込み口５３が設けられており、もう一端の内縁には同様に上述の最も好適な実施例と同様の嵌合部５２が設けられており、この様に違う形態の組合せによる設計によっても、上述の実施例と同様の効果を達成できる。
【図面の簡単な説明】
【００１７】
【図１】本発明におけるレンチ嵌合部の構造改良の分解図である。
【図２】本発明におけるレンチ嵌合部の構造改良の外観図である。
【図３】本発明におけるレンチ嵌合部の構造改良の断面図である。
【図４】本発明の図３におけるレンチ嵌合部の構造改良の拡大図である。
【図５】本発明の第二実施例におけるレンチ嵌合部の構造改良の外観図である。
【図６】本発明のレンチ嵌合部の構造改良に係るソケットと第一実施例における    嵌    合部のボルトへの嵌合を示す図である。
【図７】本発明におけるレンチ嵌合部の構造改良のもう一つの実施例を示す外観図    である。
【図８】本発明におけるレンチ嵌合部の構造改良のもう一つの実施例を示す外観図    である。
【図９】公知構造におけるレンチ嵌合部の構造を示す平面図である。
【符号の説明】
【００１８】
１０  レンチ本体
１２  柄部
１４  ヘッド部
１５  係止縁部
１６  収納空間
１７  Ｏリング
１８  孔部
２０  回動体
２１  ラチェット歯
２２  嵌合部
２３  収納隙間
２４  円弧凸面
２５  底角
３０  ストッパー構造
３１  ストッパー
３２  スプリング
３３  固定ねじ
４０  ボルト・ナット
４１  側面
５０  ソケット
５１  嵌入部
５２  嵌合部
５３  差込み口
５４  収納隙間
５５  円弧凸面
５６  締緩部
【図１】
2005074541.tif 000003
【図２】
2005074541.tif 000004
【図３】
2005074541.tif 000005
【図４】
2005074541.tif 000006
【図５】
2005074541.tif 000007
【図６】
2005074541.tif 000008
【図７】
2005074541.tif 000009
【図８】
2005074541.tif 000010
【図９】
2005074541.tif 000011